(57)【要約】      （修正有）【課題】第二レールが第一レールに対して延長位置にある時、サポート台により第二レールをサポートすることができるスライドレールキットを提供する。【解決手段】スライドレールキットは第一レール２２、ブラケット台２４、サポート台２６及び第二レール２８を有する。第一レール２２は縦方向通路４４を形成し、ブラケット台２４は第一レール２２に連接される。サポート台２６はブラケット台２４に移動可能に取り付けられ、サポート台２６は壁部５０、及び壁部５０に横方向に連接する少なくとも一つのサポート部５２を有する。第二レール２８が第一レール２２に対して移動し、第一レール２２の縦方向通路４４及びサポート台２６のサポート通路５４を通過すると、サポート台２６の少なくとも一つのサポート部５２は第二レール２８をサポートする。【選択図】図３
0003198041.tif 000002
【実用新案登録請求の範囲】
【請求項１】
第一レール、ブラケット台、サポート台、第二レールを備え、
前記第一レールには、縦方向通路を形成されており、
前記第二レールは、前記第一レールに移動可能に連接し、縦方向に前記第一レールに対して移動し、
前記ブラケット台は、前記第一レールに連接されており、
前記サポート台は、前記ブラケット台に移動可能に取り付けられており、壁部、及び前記壁部に横方向に連接されている少なくとも一つのサポート部を有し、前記壁部と前記サポート部との間にサポート通路が形成されており、前記サポート通路が前記第一レールの前記縦方向通路に対応しており、前記第二レールが前記サポート通路中で移動する
ことを特徴とするスライドレールキット。
【請求項２】
少なくとも一つの連接部材をさらに備え、
前記ブラケット台は、少なくとも一つの縦方向槽をさらに有し、
前記連接部材は、頭部、および、前記頭部に連接するボディ部を有し、
前記ボディ部は、前記縦方向槽を通過し、前記サポート台の前記壁部に連接し、
前記頭部は、前記ブラケット台の片側に遮られていることを特徴とする請求項１に記載のスライドレールキット。
【請求項３】
前記サポート台は、前記壁部の同じ側の二つの位置にそれぞれ横方向に連接されている一対のサポート部を有し、
前記壁部と一対の前記サポート部とは、前記サポート通路を共同で形成することを特徴とする請求項１に記載のスライドレールキット。
【請求項４】
前記第二レールは、上壁、下壁、及び前記上壁と前記下壁との間に延設されている側壁を有し、
前記第二レールが前記サポート台の前記サポート通路内を移動すると、前記第二レールの前記上壁と前記下壁とは、前記サポート台の一対の前記サポート部に対応することを特徴とする請求項３に記載のスライドレールキット。
【請求項５】
前記サポート台の少なくとも一つの前記サポート部に対応して取り付けられている少なくとも一つのサポート部材をさらに備え、
前記第二レールが前記サポート台の前記サポート通路内を移動すると、前記第二レールは、前記サポート部材に接触し、前記サポート台を連動させ前記ブラケット台に対して移動させ、前記サポート部材が前記第二レールをサポートすることを特徴とする請求項１に記載のスライドレールキット。
【請求項６】
第一レール、ブラケット台、サポート台、および第二レールを備え、
前記第一レールは、上壁、下壁、及び前記上壁と前記下壁との間に延設されている側壁を有し、前記上壁、前記下壁、及び前記側壁が共同で縦方向通路を形成し、
前記ブラケット台は、前記第一レールの前記側壁に連接されており、
前記サポート台は、前記ブラケット台に移動可能に取り付けられており、壁部、及び前記壁部に横方向に連接する少なくとも一つのサポート部を有し、前記壁部と前記サポート部との間にサポート通路が形成されており、前記サポート通路が前記第一レールの前記縦方向通路に対応しており、
前記第二レールは、前記第一レールに移動可能に連接し、前記第一レールに縦方向に相対しており、閉位置と延長位置との間で移動し、
前記第二レールが前記第一レールに対して、前記閉位置から前記延長位置へと移動する過程において、前記第二レールは、前記第一レールの前記縦方向通路及び前記サポート台の前記サポート通路を通過し、前記サポート台の前記サポート部により、前記第二レールをサポートすることを特徴とするスライドレールキット。
【請求項７】
前記サポート台は、前記壁部の同じ側の二つの位置にそれぞれ横方向に連接されている一対のサポート部を有し、
前記壁部と一対の前記サポート部とは、前記サポート通路を共同で形成し、
前記第二レールは、上壁、下壁、及び前記上壁と前記下壁との間に延設されている側壁を有し、
前記第二レールが前記サポート台の前記サポート通路を通過する過程において、前記第二レールの前記上壁と前記下壁とは、前記サポート台の一対の前記サポート部に対応することを特徴とする請求項６に記載のスライドレールキット。
【請求項８】
前記サポート台の一対の前記サポート部にそれぞれ取り付けられている一対のサポート部材をさらに備え、
前記第二レールが前記サポート台の前記サポート通路を通過する過程において、前記第二レールの前記上壁と前記下壁と一対の前記サポート部材とが接触し、前記サポート台を連動させ前記ブラケット台に対して移動させることを特徴とする請求項７に記載のスライドレールキット。
【請求項９】
シャーシに適用されており、第一ラック柱と第二ラック柱を有するラックに取り付けられるスライドレールキットであって、
第一レール、ブラケット台、サポート台、第二レール、および第三レールを備え、
前記第一レールは、上壁、下壁、及び前記上壁と前記下壁との間に延設されている側壁を有し、前記上壁、前記下壁、及び前記側壁が共同で縦方向通路を形成し、
前記ブラケット台は、前記第一レールの前記側壁に連接し、第一ブラケットおよび第二ブラケットにより、前記第一ラック柱および前記第二ラック柱にそれぞれ取り付けられており、
前記サポート台は、前記ブラケット台に移動可能に取り付けられており、壁部、及び前記壁部に横方向に連接されている少なくとも一つのサポート部を有し、前記壁部と前記サポート部と間にサポート通路が形成されており、前記サポート通路が前記第一レールの前記縦方向通路に対応しており、
前記第二レールは、前記第一レールに移動可能に連接し、縦方向に前記第一レールに対して移動し、前記第一レールの前記縦方向通路及び前記サポート台の前記サポート通路を通過し、前記サポート台の前記サポート部により、前記第二レールをサポートし、
前記第三レールは、前記第二レールに対して縦方向に移動し、前記シャーシに取り付けられていることを特徴とするスライドレールキット。
【請求項１０】
前記シャーシは、第一部分と第二部分とを有し、
前記第一部分は、前記第二部分の幅より大きい幅を有し、
前記第三レールは、前記シャーシの前記第二部分の側辺に取り付けられていることを特徴とする請求項９に記載のスライドレールキット。
【考案の詳細な説明】
【技術分野】
【０００１】
本考案はスライドレールキットに関する。
【背景技術】
【０００２】
一般的に言えば、ラック式サーバーシステムの中で、電子設備のシャーシ（ｃｈａｓｓｉｓ）は、スライドレールキットを用いてラック（ｒａｃｋ）に取り付けられる。
【０００３】
図１に示すとおり、スライドレールキット１００は通常、第一レール１０２、第二レール１０４、及び第三レール１０６を有する。
第二レール１０４と第三レール１０６とは、それぞれ第一レール１０２の移動に対応し延長位置にある。
これにより、スライドレールキット１００は、延長展開の状態となる。
【０００４】
しかしながら、第二レール１０４と第三レール１０６とが、第一レール１０２にそれぞれ対応して延長位置にある時、第二レール１０４のレールの一部のセクション１０８は、第一レール１０２によりサポートされない。
この際に、第三レール１０６に電子設備のシャーシが取り付けられると、第二レール１０４の荷重能力は、無視できない重要な課題である。
【先行技術文献】
【特許文献】
【０００５】
【特許文献１】特開２０１３−１７７０４１号公報
【考案の概要】
【考案が解決しようとする課題】
【０００６】
前記先行技術の図１で分かるとおり、第二レール１０４と第三レール１０６とが、第一レール１０２にそれぞれ対応して延長位置にある時、第二レール１０４のレールの一部のセクション１０８は、第一レール１０２によりサポートされない欠点がある。
【０００７】
本考案は、上述の問題に鑑みてなされたものであり、その目的は、スライドレールキットのレール部材をサポートするサポート台を有するスライドレールキットを提供することにある。
【課題を解決するための手段】
【０００８】
本考案によるスライドレールキットは、第一レール、第二レール、ブラケット台、及びサポート台、及びを備える。
第一レールは縦方向通路を形成する。
第二レールは、第一レールに移動可能に連接し、縦方向に第一レールに対して移動可能である。
ブラケット台は、第一レールに連接する。
サポート台は、ブラケット台に移動可能に取り付けられている。サポート台は、壁部、及び壁部に横方向に連接する少なくとも一つのサポート部を有する。壁部と少なくとも一つのサポート部との間に形成されているサポート通路は、第一レールの縦方向通路に対応する。
第二レールは、サポート通路中で移動可能である。
【０００９】
最も好ましくは、ブラケット台は少なくとも一つの縦方向槽をさらに有する。
スライドレールキットは、少なくとも一つの連接部材をさらに備える。
少なくとも一つの連接部材は、頭部、頭部に連接するボディ部を有する。ボディ部は、少なくとも一つの縦方向槽を通過し、サポート台の壁部に連接し、且つ頭部はブラケット台の片側に遮られる。
【００１０】
最も好ましくは、サポート台は、壁部の同側方向の二つの位置にそれぞれ横方向に連接される一対のサポート部を有し、壁部と一対のサポート部とは、サポート通路を共同で形成する。
第二レールは、上壁、下壁、及び上壁と下壁間に延設されている側壁を有する。
第二レールがサポート台のサポート通路内に移動すると、第二レールの上壁と下壁とは、サポート台の一対のサポート部に対応する。
【００１１】
最も好ましくは、スライドレールキットは、サポート台の少なくとも一つのサポート部に対応して取り付けられる少なくとも一つのサポート部材をさらに備える。
第二レールがサポート台のサポート通路内に移動すると、第二レールはサポート部材に接触し、サポート台を連動させブラケット台に対して移動させ且つ少なくとも一つのサポート部材により、第二レールをサポートする。
【００１２】
本考案によるもう一つのスライドレールキットは、第一レール、ブラケット台、サポート台、及び第二レールを備える。
第一レールは、上壁、下壁、及び上壁と下壁間に延設されている側壁を有する。上壁、下壁、及び側壁は共同で縦方向通路を形成する。
ブラケット台は、第一レールの側壁に連接する。
サポート台は、ブラケット台に移動可能に取り付けられている。サポート台は、壁部、及び壁部に横方向に連接する少なくとも一つのサポート部を有する。壁部と少なくとも一つのサポート部との間に形成されているサポート通路は、第一レールの縦方向通路に対応する。
第二レールは第一レールに移動可能に連接し、第一レールに縦方向に相対し、閉位置と延長位置間で移動する。
第二レールが第一レールに対して、閉位置から延長位置へと移動する過程において、第二レールは第一レールの縦方向通路及びサポート台のサポート通路を通過し、サポート台の少なくとも一つのサポート部により、第二レールをサポートする。
【００１３】
最も好ましくは、サポート台は、壁部の同側方向の二つの位置にそれぞれ横方向に連接される一対のサポート部を有する。
壁部と一対のサポート部とは、サポート通路を共同で形成する。
第二レールは、上壁、下壁、及び上壁と下壁間に延設されている側壁を有する。第二レールがサポート台のサポート通路を通過する過程において、第二レールの上壁と下壁とは、サポート台の一対のサポート部に対応する。
スライドレールキットは、サポート台の一対のサポート部にそれぞれ取り付けられている一対のサポート部材をさらに有する。
第二レールがサポート台のサポート通路を通過する過程において、第二レールの上壁と下壁と一対のサポート部材とは接触し、サポート台を連動させブラケット台に対して移動させる。
【００１４】
本考案によるもう一つのスライドレールは、キットをシャーシに適用しラックに取り付けられている。
ラックは、第一ラック柱と第二ラック柱を有する。
スライドレールキットは、第一レール、ブラケット台、サポート台、第二レール、及び第三レールを備える。
第一レールは、上壁、下壁、及び上壁と下壁間に延設されている側壁を有する。上壁、下壁、及び側壁は共同で縦方向通路を形成する。
ブラケット台は、第一レールの側壁に連接する。第一ブラケットと第二ブラケットにより、第一ラック柱と第二ラック柱とにそれぞれ取り付けられている。
サポート台は、ブラケット台に移動可能に取り付けられている。サポート台は、壁部、及び壁部に横方向に連接する少なくとも一つのサポート部を有する。壁部と少なくとも一つのサポート部との間に形成されているサポート通路は、第一レールの縦方向通路に対応する。
第二レールは第一レールに移動可能に連接し、縦方向に第一レールに対して移動し、第一レールの縦方向通路及びサポート台のサポート通路を通過し、サポート台の少なくとも一つのサポート部により、第二レールをサポートする。
第三レールは、第二レールに対して縦方向に移動し、第三レールはシャーシに取り付けられている。
【００１５】
最も好ましくは、シャーシは、第一部分と第二部分とを有する。第一部分は、第二部分の幅より大きい幅を有し、第三レールは、シャーシの第二部分の側辺に取り付けられている。
【００１６】
本考案の実施形態を応用する特徴の一つは、第二レールが第一レールに対して延長する位置に位置する時、サポート台により第二レールをサポートすることができる。
【図面の簡単な説明】
【００１７】
【図１】従来のスライドレールキットを示す模式図であり、展開状態、且つ第二レールの一部のセクションが第一レールにサポートされていない状態を示す。
【図２】本考案の第一実施形態によるスライドレールキットを示す模式図であり、展開状態、且つサポート台により第二レールがサポートされる状態を示す。
【図３】本考案の第一実施形態によるスライドレールキットを示す分解斜視図である。
【図４】本考案の第一実施形態によるスライドレールキットをシャーシに適用しラックに取り付けた状態を示す模式図であり、スライドレールキットの展開状態を示す。
【図５Ａ】本考案の第一実施形態によるスライドレールキットの展開状態を示す模式図であり、第三レールがシャーシの第二部分に取り付けられる状態を示す。
【図５Ｂ】本考案の第一実施形態によるスライドレールキットの閉状態を示す模式図であり、シャーシがラック内に収納される状態を示す。
【図６Ａ】本考案の第一実施形態によるスライドレールキットの閉状態を示す模式図であり、サポート台が予定位置に位置し、且つ第二レールが第一レールに対して閉位置に位置する状態を示す。
【図６Ｂ】本考案の第一実施形態によるスライドレールキットを示す模式図であり、第二レールが第一レールに対して縦方向に第一延長位置まで移動し、且つ第二レールが一部のサポート台に対応し、サポート台にサポートされる状態を示す。
【図７Ａ】本考案の第一実施形態によるスライドレールキットを示す模式図であり、第二レールがサポート台のサポート通路を通過し、且つサポート台を第二サポート位置まで連動させる状態を示す。
【図７Ｂ】本考案の第一実施形態によるスライドレールキットを示す模式図であり、第三レールが第二レールに対してさらに縦方向に移動し、これによりスライドレールキットが展開状態となる状態を示す。
【図８】図６Ａの８−８線断面図であり、サポート部材が第二レールによりサポートされる状態を示す。
【図９】本考案の第二実施形態のスライドレールキットを示す模式図である。
【考案を実施するための形態】
【００１８】
（第一実施形態）
図２に示すとおり、本考案の第一実施形態のスライドレールキット２０は、第一レール２２、ブラケット台２４、サポート台２６、第二レール２８、及び第三レール３０を有する。
【００１９】
ブラケット台２４は、第一先端部３２、第一先端部３２に相対する第二先端部３４を有する。
第一先端部３２と第二先端部３４に隣り合い、第一ブラケット３６と第二ブラケット３８をそれぞれ取り付ける。
例えば、第一ブラケット３６は、ブラケット台２４に隣り合う第一先端部３２に取り付けられ、第二ブラケット３８は、ブラケット台２４に隣り合う第二先端部３４に取り付けられる。
第一レール２２、第二レール２８、及び第三レール３０は順番に縦方向に移動可能に連接され、延長展開の状態とすることができる。
【００２０】
図２と図３に示すとおり、第一レール２２は、上壁４０ａ、下壁４０ｂ、及び上壁４０ａと下壁４０ｂ間に延設されている側壁４２を有する。
上壁４０ａ、下壁４０ｂ、及び側壁４２は共同で縦方向通路４４を形成する。
【００２１】
ブラケット台２４は、第一レール２２に連接する。
例えば、ブラケット台２４は、リベット、ネジ、溶接、或いは係合等の方式により、第一レール２２の側壁４２に連接する。
ここでは、リベット４５により接合を例とする。
【００２２】
或いは、ブラケット台２４は、第一レール２２の側壁４２に成型し、第一レール２２の一部分として見做すこともできるが、その実施は制限されない。
最も好ましくは、ブラケット台２４は、少なくとも一つの縦方向槽４６を有する。
ここでは、２個の縦方向槽４６を例とする。
各縦方向槽４６は、第一係止壁４８ａと第二係止壁４８ｂとの間に形成されている。
【００２３】
サポート台２６は、ブラケット台２４に移動可能に取り付けられる。
サポート台２６は、壁部５０、及び壁部５０に横方向に連接する少なくとも一つのサポート部５２を有する。
ここでは、例として、サポート台２６は一対のサポート部５２を有する。
一対のサポート部５２は、壁部５０の同側方向の、例えば上、下位置などの二つの位置にそれぞれ横方向に連接され、且つ相互に対応する。
壁部５０と一対のサポート部５２間には、共同でサポート通路５４を形成する。
サポート通路５４は、第一レール２２の縦方向通路４４に対応する。
【００２４】
最も好ましくは、サポート台２６の一対のサポート部５２に取り付けられる一対のサポート部材５６をさらに有する。
実施において、各サポート部材５６と各サポート部５２とは、相互に対応する構造特?を有する。
例えば、相互間に、相互に対応する凸体と孔的特?を有し、これにより相互に一体に組み合わせることができる。
或いは、別に少なくとも一つの連接部材により、相互に一体に組み合わせることができるが、その実施は制限されない。
【００２５】
サポート台２６は、少なくとも一つの連接部材５８により、ブラケット台２４に移動可能に取り付けられる。
例えば、各縦方向槽４６には、２個の連接部材５８を組合せ、各連接部材５８は、頭部６０、頭部６０に連接するボディ部６２を有し、且つ頭部６０のサイズは、ボディ部６２のサイズより大きい。
ボディ部６２は、ブラケット台２４の縦方向槽４６を通過して、サポート台２６の壁部５０に連接し、且つ頭部６０は、ブラケット台２４の片側に遮られる。
【００２６】
上記した配置に基づき、サポート台２６は、縦方向槽４６の長さに基づき、ブラケット台２４に対して移動する。
第二レール２８は第一レール２２に移動可能に連接し、縦方向通路４４に位置する。
第二レール２８は、上壁６４ａ、下壁６４ｂ、及び上壁６４ａと下壁６４ｂ間に延設されている側壁６６を有する。
【００２７】
図４に示すとおり、シャーシ６８は、一対のスライドレールキット２０により、ラック７０に取り付けられる。
ラック７０は、二対のラック柱を有する。
例えば、２個の対応する第一ラック柱７２ａ、及び２個の対応する第二ラック柱７２ｂである。
【００２８】
各スライドレールキット２０の二つの部位（例えば、前部と後部）は、第一ブラケット３６と第二ブラケット３８により、ラック７０の第一ラック柱７２ａと第二ラック柱７２ｂにそれぞれ取り付けられる。
これにより、シャーシ６８は、ラック７０に取り付けられる。
具体的には、シャーシ６８は、スライドレールキット２０の第三レール３０に取り付けられる。
本実施形態において、シャーシ６８は、おおよそＴ字型のシャーシである。
例えば、シャーシ６８は、第一部分７４と第二部分７６とを有する。
第一部分７４は、第一幅Ｗ１を有し、第二部分７６は、第二幅Ｗ２を有する。
第一幅Ｗ１は、第二幅Ｗ２より大きい。
【００２９】
図５Ａは、スライドレールキット２０の延長展開の状態を示す。
シャーシ６８の第一部分７４の幅Ｗ１は、第二部分７６の幅Ｗ２より大きいため、第一部分７４は、第二部分７６に比較し、別に厚みＳを有する。
よって、スライドレールキット２０の第三レール３０は、シャーシ６８の第二部分７６の側辺７８にのみ制限されて取り付けられる。
これにより、スライドレールキット２０が延長展開の状態にある時には、他の組成部材、例えば第二レール２８により、シャーシ６８が第三レール３０に加える重量を分担する必要がある。
第二レール２８が第一レール２２に対して引き出され延長位置まで移動する過程において、第二レール２８は、サポート台２６のサポート通路５４を通過し、サポート台２６がブラケット台２４に移動可能に連接する特性を利用し、第二レール２８を別にサポートすることができる。
こうして、第三レール３０が受け止めるシャーシ６８の重量に対応することができる。
【００３０】
図５Ｂは、スライドレールキット２０の閉状態を示す。
図に示すとおり、シャーシ６８は、ラック７０内に完全に収納される。
【００３１】
図６Ａは、スライドレールキット２０の閉状態を示し、この時、第二レール２８と第三レール３０とは、それぞれ第一レール２２に対して閉状態を呈する。
この状態下で、サポート台２６は必要に応じて、ブラケット台２４に対して、予定位置Ｐに調整される。
一方、第二レール２８は、第一レール２２に対して、閉位置Ｌにある。
【００３２】
図６Ｂに示すとおり、第三レール３０が第一レール２２に対して、延長方向（矢印参照）へと引き出され移動すると、第二レール２８は第三レール３０と連動し、これにより第二レール２８は第一レール２２に対して、閉位置Ｌから第一延長位置Ｌ１まで縦方向に移動する。
具体的には、第二レール２８が連動し移動する過程において、第二レール２８の一部分は、第一レール２２の縦方向通路４４内より伸び出し、第一レール２２に対して、サポート台２６のサポート通路５４内へと縦方向に移動する。
第二レール２８の上壁６４ａと下壁６４ｂとは、それぞれ対応し、例えば、サポート台２６の一対のサポート部材５６に接触し、且つ第二レール２８は、サポート台２６を、予定位置Ｐから、ブラケット台２４に対して、摩擦するように第一サポート位置Ｐ１まで連動させる。
【００３３】
この対応状態において、一対のサポート部材５６は、第二レール２８の上壁６４ａと下壁６４ｂとを局部を用いてサポートすることができる。
操作者は、実際の必要に応じて、適当な厚みを有するサポート部材５６を選択し、発生し得るサポート誤差の問題に対応或いは補うことができる。
これにより、各サポート部材５６は、確実且つ効果的に、第二レール２８をサポートすることができる。
【００３４】
図７Ａに示すとおり、第二レール２８がさらに第三レール３０に連動し、第二延長位置Ｌ２にある時、第二レール２８のサポート台２６のサポート通路５４を通過し、さらにサポート台２６を第一サポート位置Ｐ１からブラケット台２４に対して摩擦するように第二サポート位置Ｐ２まで連動させる。
サポート台２６の一対のサポート部材５６は、第二レール２８の上壁６４ａと下壁６４ｂを、完全にサポートすることができる。
【００３５】
図７Ｂに示すとおり、第二レール２８が第二延長位置Ｌ２にある（例えば、第二レール２８が最大延長位置にある）時、第三レール３０は、さらに引き出され、第二レール２８に対して縦方向に移動する。
これにより、スライドレールキット２０は、延長展開の状態を呈する。
【００３６】
これにより分かるように、第二レール２８が第一レール２２に対してサポート台２６のサポート通路５４内へと移動すると、第二レール２８はサポート台２６によりサポートされる。
よって、第三レール３０にシャーシ６８を取り付ける（図４参照）と、サポート台２６により第二レール２８をサポートでき、これにより第二レール２８はシャーシ６８の重量を効果的に分担することができる。
【００３７】
第二レール２８が、第一レール２２に対して引き出され延長位置まで移動する過程において、サポート台２６は第二レール２８により摩擦するように連動し移動する。
しかし、実務上は、第二レール２８はサポート台２６のサポート通路５４を直接通過でき、操作者は手動の方式でサポート台２６を適当なサポート位置まで調整し、これにより第二レール２８をサポートすることができ、こうして実際のサポートニーズに応えることができる。
【００３８】
図８は、ブラケット台２４、サポート台２６、及び第二レール２８の配置状態を示す。
詳しく言えば、第二レール２８の上壁６４ａ、下壁６４ｂ、及び側壁６６は共同で縦方向通路８０を形成し、第三レール３０を取り付けることができる。
例えば、縦方向通路８０内には、スライド補助部材８２をさらに有し、第三レール３０の第二レール２８に対する移動を助ける。
サポート台２６は、ブラケット台２４に移動可能に取り付けられ、且つサポート台２６の一対のサポート部材５６は、第二レール２８の上壁６４ａと下壁６４ｂに別々に接触し、これにより第二レール２８をサポートする。
【００３９】
（第二実施形態）
図９は、本考案の第二実施形態のスライドレールキットのサポート台２００を示す。
具体的には、本実施形態のサポート台２００と第一実施形態との差異はおおよそ以下のとおりである。
【００４０】
第二レール２０２がサポート台２００のサポート通路２０４を通過すると、サポート台２００の一対のサポート部２０６は、第二レール２０２の上壁２０８ａと下壁２０８ｂと直接接触し、これにより第二レール２０２をサポートする。
【００４１】
前述した本考案の実施形態は本考案を限定するものではなく、よって、本考案により保護される範囲は実用新案登録請求の範囲を基準とする。
【符号の説明】
【００４２】
１００  スライドレールキット、
１０２  第一レール、
１０４  第二レール、
１０６  第三レール、
１０８  レールの一部のセクション、
２０  スライドレールキット、
２２  第一レール、
２４  ブラケット台、
２６、２００  サポート台、
２８、２０２  第二レール、
３０  第三レール、
３２  第一先端部、
３４  第二先端部、
３６  第一ブラケット、
３８  第二ブラケット、
４０ａ  上壁、
４０ｂ  下壁、
４２  側壁、
４４、８０  縦方向通路、
４５  リベット、
４６  縦方向槽、
４８ａ  第一係止壁、
４８ｂ  第二係止壁、
５０  壁部、
５２、２０６  サポート部、
５４、２０４  サポート通路、
５６  サポート部材、
５８  連接部材、
６０  頭部、
６２  ボディ部、
６４ａ、２０８ａ  上壁、
６４ｂ、２０８ｂ  下壁、
６６  側壁、
６８  シャーシ、
７０  ラック、
７２ａ  第一ラック柱、
７２ｂ  第二ラック柱、
７４  第一部分、
７６  第二部分、
７８  側辺、
８２  スライド補助部材、
Ｌ  閉位置、
Ｌ１  第一延長位置、
Ｌ２  第二延長位置、
Ｐ  予定位置、
Ｐ１  第一サポート位置、
Ｐ２  第二サポート位置、
Ｓ  厚み、
Ｗ１  第一幅、
Ｗ２  第二幅。
【図１】
0003198041.tif 000003
【図２】
0003198041.tif 000004
【図３】
0003198041.tif 000005
【図４】
0003198041.tif 000006
【図５Ａ】
0003198041.tif 000007
【図５Ｂ】
0003198041.tif 000008
【図６Ａ】
0003198041.tif 000009
【図６Ｂ】
0003198041.tif 000010
【図７Ａ】
0003198041.tif 000011
【図７Ｂ】
0003198041.tif 000012
【図８】
0003198041.tif 000013
【図９】
0003198041.tif 000014